(57)【特許請求の範囲】
【請求項１】
三相交流電力の各相電流がそれぞれ流されるべき、並列された３つの棒状の導体と、前記三相交流電力の第１相及び第３相の電流がそれぞれ流されるべき前記導体をそれぞれ囲む鉄心及び該鉄心に巻かれた二次巻線からなる２つの計器用変流器と、該２つの計器用変流器に隣接し、前記３つの棒状の導体を囲む鉄心及び該鉄心に巻かれた二次巻線からなる零相変流器とを備え、前記２つの計器用変流器、前記零相変流器及び前記３つの棒状の導体を、該導体の各端部を残して、一体にモールドしてなることを特徴とする計器用変成器。
【請求項２】
三相交流電力の各相電力線がそれぞれ貫通すべき、並列された３つの貫通孔と、前記三相交流電力の第１相及び第３相の電力線がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔を囲む鉄心及び該鉄心に巻かれた二次巻線からなる零相変流器とを備え、前記２つの計器用変流器及び前記零相変流器を一体にモールドしてなることを特徴とする計器用変成器。
【請求項３】
三相交流の各相線がそれぞれ接続されるべき、並列された３つの棒状の導体と、該導体をそれぞれ囲む鉄心及び該鉄心に巻かれた二次巻線からなる２つの計器用変流器と、該２つの計器用変流器に隣接し、前記３つの棒状の導体をそれぞれ囲む鉄心及び該鉄心に巻かれた二次巻線からなる３つの零相変流器とを備え、該二次巻線を直列に接続し、前記２つの計器用変流器、前記３つの零相変流器及び前記３つの棒状の導体を、該導体の各端部を残して、一体にモールドしてなることを特徴とする計器用変成器。
【請求項４】
三相交流の各相の導体がそれぞれ貫通すべき、並列された３つの貫通孔と、前記各相の導体がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔をそれぞれ囲む鉄心及び該鉄心に巻かれた二次巻線からなる３つの零相変流器とを備え、該二次巻線を直列に接続し、前記２つの計器用変流器及び前記３つの零相変流器を一体にモールドしてなることを特徴とする計器用変成器。
【請求項５】
三相交流の各相線がそれぞれ接続されるべき、並列された３つの棒状の導体と、該導体をそれぞれ囲む鉄心及び該鉄心に巻かれた二次巻線からなる２つの計器用変流器と、該２つの計器用変流器に隣接し、前記３つの棒状の導体をそれぞれ囲む鉄心及び該鉄心に巻かれた二次巻線からなる３つの零相変流器とを備え、該二次巻線を並列に接続し、前記２つの計器用変流器、前記３つの零相変流器及び前記３つの棒状の導体を、該導体の各端部を残して、一体にモールドしてなることを特徴とする計器用変成器。
【請求項６】
三相交流の各相の導体がそれぞれ貫通すべき、並列された３つの貫通孔と、前記各相の導体がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔をそれぞれ囲む鉄心及び該鉄心に巻かれた二次巻線からなる３つの零相変流器とを備え、該二次巻線を並列に接続し、前記２つの計器用変流器及び前記３つの零相変流器を一体にモールドしてなることを特徴とする計器用変成器。
【発明の詳細な説明】
【０００１】
【発明の属する技術分野】
本発明は、受配電設備に適用されるスイッチギヤ内に配置される計器用変成器に関するものである。
【０００２】
【従来の技術】
受配電設備においては、定格電流の計測及び過電流の検出には、計器用変流器を使用し、地絡電流（零相電流）の検出には、零相変流器を使用している。
図１３は、従来の一次導体埋め込み形の計器用変流器の構成例を示す外形図であり、（ａ）は側面図、（ｂ）は正面図である。この計器用変流器は、交流電力が流されるべき棒状の導体１８（一次導体）と、導体１８を囲み、図示しない二次巻線がトロイダル状に巻かれた、ドーナツ状珪素鋼製の鉄心１９とからなり、二次巻線を含む鉄心１９及び導体１８は、導体１８の両端部を残して、エポキシ樹脂１９ａにより一体にモールドされている。
この計器用変流器では、導体１８に交流電流が流れると、二次巻線に二次電流が発生し、発生した二次電流は、図示しない電流計等により測定され、計測制御に利用される。
【０００３】
図１４は、従来の一次導体貫通形の計器用変流器の構成例を示す外形図であり、（ａ）は正面図、（ｂ）は側面図である。この計器用変流器は、交流の電力線が貫通すべき貫通孔２０と、この貫通孔２０を囲み、図示しない二次巻線がトロイダル状に巻かれた、ドーナツ状珪素鋼製の鉄心２１とからなっている。
この計器用変流器では、貫通孔２０を貫通する電力線に交流電流が流れると、二次巻線に二次電流が発生し、発生した二次電流は、図示しない電流計等により測定され、計測制御に利用される。
【０００４】
図１５は、従来の一次導体貫通形の零相変流器の構成例を示す外形図であり、（ａ）は正面図、（ｂ）は側面図である。この零相変流器は、三相交流電力の各相電力線が一括されて貫通すべき貫通孔２２と、この貫通孔２２を囲み、図示しない二次巻線がトロイダル状に巻かれた、パーマロイ製の鉄心２３とからなっている。
この零相変流器では、貫通孔２２を貫通する３本の電力線の何れかが地絡し、３本の電力線に流れる三相交流電力に不平衡が生じ、零相電流が流れると、二次巻線に二次電流が発生し、発生した二次電流は、図示しない電流計等により測定され、地絡継電器を作動させる。
【０００５】
図１６は、閉鎖配電盤内における従来の計器用変流器及び零相変流器の配置を示す、閉鎖配電盤の縦断側面図であり、図１７は、その縦断裏面図である。この閉鎖配電盤内では、２つの遮断器９が、閉鎖配電盤内の前面に近い側の上部及び下部にそれぞれ配置されており、各遮断器９の裏側から出た並列された各３本の導体１０（ケーブル）は、各遮断器９から出た所で、外側２本の導体１０が各計器用変流器１の導体（一次導体埋め込み形の場合）にそれぞれ接続されている。
【０００６】
各計器用変流器１のそれらの導体を介して、外側２本の導体１０にそれぞれ接続された２本のケーブル１１と中央の導体１０との各組は、それぞれ閉鎖配電盤内の後面に近い側の下部に設けられた各零相変流器２の１つの貫通孔を貫通し、閉鎖配電盤の底に設けられた図示しない孔を貫通して外部へ敷設されている。
計器用変流器１が一次導体貫通形の場合は、導体１０とケーブル１１とは一体であり、計器用変流器１の貫通孔を貫通する。
【０００７】
【発明が解決しようとする課題】
上述したような閉鎖配電盤内の従来の計器用変流器及び零相変流器の配置では、組み込み時において、それぞれ異なる位置に配置する為に、部材の数が多くなり、作業工数が増加すると共に、計器用変流器及び零相変流器を盤内に取り付けた後は、作業空間が狭められ、盤内作業に支障が生じている。また、ケーブル敷設時には、ケーブルを零相変流器に貫通させる必要がある為、零相変流器を損傷する虞があり、また、盤内の作業性が良くない。
【０００８】
上述したような問題を解決する為の技術としては、断路部で変流器検電器、零相変流器及び断路部ブッシングを三相一体モールドして成形した「閉鎖配電盤」が、特開昭６１−１９１２０３号公報に開示されている。
本発明は、上述したような事情に鑑みてなされたものであり、部材数の削減、作業工数の削減、作業工程の短縮、取り付け作業の簡略化及び配電盤内の作業性の向上が可能となる計器用変流器及び零相変流器を備えた計器用変成器を提供することを目的とする。
【０００９】
【課題を解決するための手段】
第１発明に係る計器用変成器は、三相交流電力の各相電流がそれぞれ流されるべき、並列された３つの棒状の導体と、前記三相交流電力の第１相及び第３相の電流がそれぞれ流されるべき前記導体をそれぞれ囲む鉄心及び該鉄心に巻かれた二次巻線からなる２つの計器用変流器と、該２つの計器用変流器に隣接し、前記３つの棒状の導体を囲む鉄心及び該鉄心に巻かれた二次巻線からなる零相変流器とを備え、前記２つの計器用変流器、前記零相変流器及び前記３つの棒状の導体を、該導体の各端部を残して、一体にモールドしてなることを特徴とする。
【００１０】
第２発明に係る計器用変成器は、三相交流電力の各相電力線がそれぞれ貫通すべき、並列された３つの貫通孔と、前記三相交流電力の第１相及び第３相の電力線がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔を囲む鉄心及び該鉄心に巻かれた二次巻線からなる零相変流器とを備え、前記２つの計器用変流器及び前記零相変流器を一体にモールドしてなることを特徴とする。
【００１１】
第３発明に係る計器用変成器は、三相交流の各相線がそれぞれ接続されるべき、並列された３つの棒状の導体と、該導体をそれぞれ囲む鉄心及び該鉄心に巻かれた二次巻線からなる２つの計器用変流器と、該２つの計器用変流器に隣接し、前記３つの棒状の導体をそれぞれ囲む鉄心及び該鉄心に巻かれた二次巻線からなる３つの零相変流器とを備え、該二次巻線を直列に接続し、前記２つの計器用変流器、前記３つの零相変流器及び前記３つの棒状の導体を、該導体の各端部を残して、一体にモールドしてなることを特徴とする。
【００１２】
第４発明に係る計器用変成器は、三相交流の各相の導体がそれぞれ貫通すべき、並列された３つの貫通孔と、前記各相の導体がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔をそれぞれ囲む鉄心及び該鉄心に巻かれた二次巻線からなる３つの零相変流器とを備え、該二次巻線を直列に接続し、前記２つの計器用変流器及び前記３つの零相変流器を一体にモールドしてなることを特徴とする。
【００１３】
第５発明に係る計器用変成器は、三相交流の各相線がそれぞれ接続されるべき、並列された３つの棒状の導体と、該導体をそれぞれ囲む鉄心及び該鉄心に巻かれた二次巻線からなる２つの計器用変流器と、該２つの計器用変流器に隣接し、前記３つの棒状の導体をそれぞれ囲む鉄心及び該鉄心に巻かれた二次巻線からなる３つの零相変流器とを備え、該二次巻線を並列に接続し、前記２つの計器用変流器、前記３つの零相変流器及び前記３つの棒状の導体を、該導体の各端部を残して、一体にモールドしてなることを特徴とする。
【００１４】
第６発明に係る計器用変成器は、三相交流の各相の導体がそれぞれ貫通すべき、並列された３つの貫通孔と、前記各相の導体がそれぞれ貫通すべき前記貫通孔を、それぞれ囲む鉄心及び該鉄心に巻かれた二次巻線からなる２つの計器用変流器と、該２つの計器用変流器に隣接し、前記３つの貫通孔をそれぞれ囲む鉄心及び該鉄心に巻かれた二次巻線からなる３つの零相変流器とを備え、該二次巻線を並列に接続し、前記２つの計器用変流器及び前記３つの零相変流器を一体にモールドしてなることを特徴とする。
【００１５】
【発明の実施の形態】
以下に、本発明を、その実施の形態を示す図面に基づき説明する。
実施の形態１．
図１，２は、本発明に係る計器用変成器の実施の形態１の構成を示す外形図である。この計器用変成器は、図２（ａ）の正面図に示した、三相交流電力の各相電流がそれぞれ流されるべき、並列された３つの棒状の導体１２（一次導体）と、三相交流電力の第１相及び第３相の電流がそれぞれ流されるべき導体１２をそれぞれ囲む、図１に示したドーナツ状珪素鋼製の鉄心３ａ（コア）及び鉄心３ａにトロイダル状に巻かれた二次巻線３ｂからなる２つの計器用変流器３とを備えている。
【００１６】
この計器用変成器は、また、２つの計器用変流器３に隣接し、３つの棒状の導体１２をトラック状に囲むパーマロイ製の鉄心４ａ（コア）及び鉄心４ａにトロイダル状に巻かれた二次巻線４ｂからなる零相変流器４とを備え、２つの計器用変流器３、零相変流器４及び３つの棒状の導体１２を、図２（ｂ）の側面図に示すように、導体１２の各端部を残して、エポキシ樹脂１２ａにより一体にモールドしてある。
【００１７】
計器用変流器３は、導体１２に交流電流が流れると、二次巻線に二次電流が発生し、発生した二次電流は、図示しない電流計等により測定され、計測制御に利用される。
零相変流器４は、３つの棒状の導体１２にそれぞれ接続された３本の電力線の何れかが地絡し、３つの導体１２に流れる三相交流電力に不平衡が生じ、零相電流が流れると、二次巻線に二次電流が発生し、発生した二次電流は、図示しない電流計等により測定され、地絡継電器を作動させる。
【００１８】
図３は、閉鎖配電盤内における本発明に係る計器用変成器の配置を示す、閉鎖配電盤の縦断側面図であり、図４は、その縦断裏面図である。この閉鎖配電盤内では、２つの遮断器９が、閉鎖配電盤内の前面に近い側の上部及び下部にそれぞれ配置されており、各遮断器９の裏側から出た並列された各３本の導体１０（ケーブル）は、各遮断器９から出た所で、本発明に係る各計器用変成器５の導体１２にそれぞれ接続されている。
【００１９】
各計器用変成器５のそれらの導体１２を介して、各導体１０にそれぞれ接続された２組の３本のケーブル１１は、閉鎖配電盤の底に設けられた図示しない孔を貫通して外部へ敷設されている。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００２０】
実施の形態２．
図１，５は、本発明に係る計器用変成器の実施の形態２の構成を示す外形図である。この計器用変成器は、図５（ａ）の正面図に示した、三相交流電力の各相電力線がそれぞれ貫通すべき、並列された３つの貫通孔１３と、三相交流電力の第１相及び第３相の電力線がそれぞれ貫通すべき貫通孔１３をそれぞれ囲む、図１に示したドーナツ状珪素鋼製の鉄心３ａ（コア）及び鉄心３ａにトロイダル状に巻かれた二次巻線３ｂからなる２つの計器用変流器３とを備えている。
【００２１】
この計器用変成器は、また、２つの計器用変流器３に隣接し、３つの貫通孔１３をトラック状に囲むパーマロイ製の鉄心４ａ（コア）及び鉄心４ａにトロイダル状に巻かれた二次巻線４ｂからなる零相変流器４とを備え、２つの計器用変流器３及び零相変流器４を、図５（ｂ）の側面図に示すように、エポキシ樹脂１３ａにより一体にモールドしてある。
【００２２】
計器用変流器３は、貫通孔１３を貫通している電力線（ケーブル）に交流電流が流れると、二次巻線に二次電流が発生し、発生した二次電流は、図示しない電流計等により測定され、計測制御に利用される。
零相変流器４は、３つの貫通孔１３をそれぞれ貫通している電力線の何れかが地絡し、３本の電力線に流れる三相交流電力に不平衡が生じ、零相電流が流れると、二次巻線に二次電流が発生し、発生した二次電流は、図示しない電流計等により測定され、地絡継電器を作動させる。
【００２３】
閉鎖配電盤内における本発明に係る計器用変成器の配置は、上述した図３，４と同様であるので、説明を省略する。但し、導体１０とケーブル１１とは一体であり、計器用変成器５の貫通孔１３を貫通している。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００２４】
実施の形態３．
図６，７は、本発明に係る計器用変成器の実施の形態３の構成を示す外形図である。この計器用変成器は、図７（ａ）の正面図に示した、三相交流の各相線がそれぞれ接続されるべき、並列された３つの棒状の導体１４（一次導体）と、導体１４をそれぞれ囲む、図６に示したドーナツ状珪素鋼製の鉄心６ａ（コア）及び鉄心６ａにトロイダル状に巻かれた二次巻線６ｂからなる２つの計器用変流器６とを備えている。
【００２５】
この計器用変成器は、また、２つの計器用変流器６に隣接し、３つの棒状の導体１４をそれぞれ囲むドーナツ状パーマロイ製の鉄心７ａ（コア）及び鉄心７ａにトロイダル状に巻かれた二次巻線７ｂからなる零相変流器７とを備え、２つの計器用変流器６、３つの零相変流器７及び３つの棒状の導体１４を、図７（ｂ）の側面図に示すように、導体１４の各端部を残して、エポキシ樹脂１４ａにより一体にモールドしてある。３つの二次巻線７ｂは、図７（ｃ）の回路図に示すように直列に接続されている。
【００２６】
計器用変流器６は、導体１４に交流電流が流れると、二次巻線に二次電流が発生し、発生した二次電流は、図示しない電流計等により測定され、計測制御に利用される。
零相変流器７は、３つの棒状の導体１４にそれぞれ接続された３本の電力線の何れかが地絡し、３つの導体１４に流れる交流電力に不平衡が生じると、零相電流が直列接続された二次巻線に発生し、発生した零相電流は、図示しない電流計等により測定され、地絡継電器を作動させる。
【００２７】
図８は、閉鎖配電盤内における本発明に係る計器用変成器の配置を示す、閉鎖配電盤の縦断側面図であり、図９は、その縦断裏面図である。この閉鎖配電盤内では、２つの遮断器９が、閉鎖配電盤内の前面に近い側の上部及び下部にそれぞれ配置されており、各遮断器９の裏側から出た並列された各３本の導体１０（ケーブル）は、各遮断器９から出た所で、本発明に係る各計器用変成器８の導体１４にそれぞれ接続されている。
【００２８】
各計器用変成器８のそれらの導体１４を介して、各導体１０にそれぞれ接続された２組の３本のケーブル１１は、閉鎖配電盤の底に設けられた図示しない孔を貫通して外部へ敷設されている。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００２９】
実施の形態４．
図６，１０は、本発明に係る計器用変成器の実施の形態４の構成を示す外形図である。この計器用変成器は、図１０（ａ）の正面図に示した、三相交流の各相の導体がそれぞれ貫通すべき、並列された３つの貫通孔１５と、各相の導体がそれぞれ貫通すべき貫通孔１５をそれぞれ囲む、図６に示したドーナツ状珪素鋼製の鉄心６ａ（コア）及び鉄心６ａにトロイダル状に巻かれた二次巻線６ｂからなる２つの計器用変流器６とを備えている。
【００３０】
この計器用変成器は、また、２つの計器用変流器６に隣接し、３つの貫通孔１５をそれぞれ囲むドーナツ状パーマロイ製の鉄心７ａ（コア）及び鉄心７ａにトロイダル状に巻かれた二次巻線７ｂからなる零相変流器７とを備え、２つの計器用変流器６及び３つの零相変流器７を、図１０（ｂ）の側面図に示すように、エポキシ樹脂１５ａにより一体にモールドしてある。３つの二次巻線７ｂは、図１０（ｃ）の回路図に示すように直列に接続されている。
【００３１】
計器用変流器６は、貫通孔１５を貫通する電力線に交流電流が流れると、二次巻線に二次電流が発生し、発生した二次電流は、図示しない電流計等により測定され、計測制御に利用される。
零相変流器７は、３つの貫通孔１５をそれぞれ貫通する３本の導体の何れかが地絡し、３本の導体に流れる交流電力に不平衡が生じると、零相電流が直列接続された二次巻線に発生し、発生した零相電流は、図示しない電流計等により測定され、地絡継電器を作動させる。
【００３２】
閉鎖配電盤内における本発明に係る計器用変成器８ａの配置は、上述した図８，９と同様であるので、説明を省略する。但し、導体１０とケーブル１１とは一体であり、計器用変成器８ａの貫通孔１５を貫通している。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００３３】
実施の形態５．
図６，１１は、本発明に係る計器用変成器の実施の形態５の構成を示す外形図である。この計器用変成器は、図１１（ａ）の正面図に示した、三相交流の各相線がそれぞれ接続されるべき、並列された３つの棒状の導体１６（一次導体）と、各相線がそれぞれ接続されるべき導体１６をそれぞれ囲む、図６に示したドーナツ状珪素鋼製の鉄心６ａ（コア）及び鉄心６ａにトロイダル状に巻かれた二次巻線６ｂからなる２つの計器用変流器６とを備えている。
【００３４】
この計器用変成器は、また、２つの計器用変流器６に隣接し、３つの棒状の導体１６をそれぞれ囲むドーナツ状パーマロイ製の鉄心７ａ（コア）及び鉄心７ａにトロイダル状に巻かれた二次巻線７ｂからなる零相変流器７とを備え、２つの計器用変流器６、３つの零相変流器７及び３つの棒状の導体１６を、図１１（ｂ）の側面図に示すように、導体１６の各端部を残して、エポキシ樹脂１６ａにより一体にモールドしてある。３つの二次巻線７ｂは、図１１（ｃ）の回路図に示すように並列に接続されている。
【００３５】
計器用変流器６は、導体１６に交流電流が流れると、二次巻線に二次電流が発生し、発生した二次電流は、図示しない電流計等により測定され、計測制御に利用される。
零相変流器７は、３つの棒状の導体１６にそれぞれ接続された３本の電力線の何れかが地絡し、３つの導体１６に流れる交流電力に不平衡が生じると、零相電流が直列接続された二次巻線に発生し、発生した零相電流は、図示しない電流計等により測定され、地絡継電器を作動させる。
【００３６】
閉鎖配電盤内における本発明に係る計器用変成器８ｂの配置は、上述した図８，９と同様であるので、説明を省略する。但し、導体１０は、導体１６と同じものとする。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００３７】
実施の形態６．
図６，１２は、本発明に係る計器用変成器の実施の形態６の構成を示す外形図である。この計器用変成器は、図１２（ａ）の正面図に示した、三相交流の各相の導体がそれぞれ貫通すべき、並列された３つの貫通孔１７と、各相の導体がそれぞれ貫通すべき貫通孔１７をそれぞれ囲む、図６に示したドーナツ状珪素鋼製の鉄心６ａ（コア）及び鉄心６ａにトロイダル状に巻かれた二次巻線６ｂからなる２つの計器用変流器６とを備えている。
【００３８】
この計器用変成器は、また、２つの計器用変流器６に隣接し、３つの貫通孔１７をそれぞれ囲むドーナツ状パーマロイ製の鉄心７ａ（コア）及び鉄心７ａにトロイダル状に巻かれた二次巻線７ｂからなる零相変流器７とを備え、２つの計器用変流器６及び３つの零相変流器７を、図１２（ｂ）の側面図に示すように、エポキシ樹脂１７ａにより一体にモールドしてある。３つの二次巻線７ｂは、図１２（ｃ）の回路図に示すように並列に接続されている。
【００３９】
計器用変流器６は、貫通孔１７を貫通する電力線に交流電流が流れると、二次巻線に二次電流が発生し、発生した二次電流は、図示しない電流計等により測定され、計測制御に利用される。
零相変流器７は、３つの貫通孔１７をそれぞれ貫通する３本の電力線の何れかが地絡し、３本の電力線に流れる交流電力に不平衡が生じると、零相電流が直列接続された二次巻線に発生し、発生した零相電流は、図示しない電流計等により測定され、地絡継電器を作動させる。
【００４０】
閉鎖配電盤内における本発明に係る計器用変成器８ｃの配置は、上述した図８，９と同様であるので、説明を省略する。但し、導体１０とケーブル１１とは一体であり、計器用変成器８ｃの貫通孔１７を貫通している。
以上により、部材数の削減、作業工数の削減、作業工程の短縮、取り付け作業の簡略化が可能となると共に、配電盤内の後面に近い側の下部に計器用変流器を設けないので、配電盤内の作業性が向上する。
【００４１】
【発明の効果】
第１発明に係る計器用変成器によれば、並列された３つの棒状の導体に三相交流電力の各相電流がそれぞれ流され、導体をそれぞれ囲む鉄心及び該鉄心に巻かれた二次巻線からなる２つの計器用変流器は、三相交流電力の第１相及び第３相の電流がそれぞれ流される。３つの棒状の導体を囲む鉄心及び該鉄心に巻かれた二次巻線からなる零相変流器は、２つの計器用変流器に隣接し、２つの計器用変流器、零相変流器及び３つの棒状の導体を、該導体の各端部を残して、一体にモールドしている。これにより、部材数の削減、作業工数の削減、作業工程の短縮、取り付け作業の簡略化、配電盤内の作業性の向上及び配電盤奥行きの短縮が可能となる。
【００４２】
第２発明に係る計器用変成器によれば、並列された３つの貫通孔を、三相交流電力の各相電力線がそれぞれ貫通し、鉄心及び鉄心に巻かれた二次巻線からなる２つの計器用変流器が、三相交流電力の第１相及び第３相の電力線がそれぞれ貫通すべき貫通孔をそれぞれ囲んでいる。鉄心及び鉄心に巻かれた二次巻線からなる零相変流器は、２つの計器用変流器に隣接して３つの貫通孔を囲んでいる。２つの計器用変流器及び零相変流器は一体にモールドしてある。これにより、部材数の削減、作業工数の削減、作業工程の短縮、取り付け作業の簡略化、配電盤内の作業性の向上及び配電盤奥行きの短縮が可能となる。
【００４３】
第３発明に係る計器用変成器によれば、並列された３つの棒状の導体が、三相交流の各相線にそれぞれ接続されている。鉄心及び鉄心に巻かれた二次巻線からなる２つの計器用変流器は、各相線がそれぞれ接続された導体をそれぞれ囲んでいる。鉄心及び鉄心に巻かれた二次巻線からなる３つの零相変流器は、２つの計器用変流器に隣接し、３つの棒状の導体をそれぞれ囲んでいる。３つの零相変流器の二次巻線は直列に接続され、２つの計器用変流器、３つの零相変流器及び３つの棒状の導体を、該導体の各端部を残して、一体にモールドしてある。これにより、部材数の削減、作業工数の削減、作業工程の短縮、取り付け作業の簡略化、配電盤内の作業性の向上及び配電盤奥行きの短縮が可能となる。
【００４４】
第４発明に係る計器用変成器によれば、並列された３つの貫通孔を、三相交流の各相の導体がそれぞれ貫通している。鉄心及び該鉄心に巻かれた二次巻線からなる２つの計器用変流器は、各相の導体がそれぞれ貫通している貫通孔を、それぞれ囲んでいる。３つの貫通孔をそれぞれ囲む鉄心及び鉄心に巻かれた二次巻線からなる３つの零相変流器は、２つの計器用変流器に隣接し、３つの貫通孔をそれぞれ囲んでいる。３つの零相変流器の二次巻線は直列に接続され、２つの計器用変流器及び３つの零相変流器は一体にモールドされている。これにより、部材数の削減、作業工数の削減、作業工程の短縮、取り付け作業の簡略化、配電盤内の作業性の向上及び配電盤奥行きの短縮が可能となる。
【００４５】
第５発明に係る計器用変成器によれば、並列された３つの棒状の導体が、三相交流の各相線にそれぞれ接続されている。鉄心及び鉄心に巻かれた二次巻線からなる２つの計器用変流器は、各相線がそれぞれ接続された導体をそれぞれ囲んでいる。鉄心及び鉄心に巻かれた二次巻線からなる３つの零相変流器は、２つの計器用変流器に隣接し、３つの棒状の導体をそれぞれ囲んでいる。３つの零相変流器の二次巻線は並列に接続され、２つの計器用変流器、３つの零相変流器及び３つの棒状の導体は、導体の各端部を残して、一体にモールドされている。これにより、部材数の削減、作業工数の削減、作業工程の短縮、取り付け作業の簡略化、配電盤内の作業性の向上及び配電盤奥行きの短縮が可能となる。
【００４６】
第６発明に係る計器用変成器によれば、並列された３つの貫通孔を、三相交流の各相の導体がそれぞれ貫通している。鉄心及び鉄心に巻かれた二次巻線からなる２つの計器用変流器は、各相の導体がそれぞれ貫通すべき貫通孔を、それぞれ囲んでいる。鉄心及び鉄心に巻かれた二次巻線からなる３つの零相変流器は、２つの計器用変流器に隣接し、３つの貫通孔をそれぞれ囲んでいる。３つの零相変流器の二次巻線は並列に接続され、２つの計器用変流器及び３つの零相変流器は一体にモールドされている。これにより、部材数の削減、作業工数の削減、作業工程の短縮、取り付け作業の簡略化、配電盤内の作業性の向上及び配電盤奥行きの短縮が可能となる。
【図面の簡単な説明】
【図１】  本発明に係る計器用変成器の実施の形態の構成を示す外形図である。
【図２】  本発明に係る計器用変成器の実施の形態の構成を示す外形図である。
【図３】  閉鎖配電盤内における本発明に係る計器用変成器の配置を示す、閉鎖配電盤の縦断側面図である。
【図４】  閉鎖配電盤内における本発明に係る計器用変成器の配置を示す、閉鎖配電盤の縦断裏面図である。
【図５】  本発明に係る計器用変成器の実施の形態の構成を示す外形図である。
【図６】  本発明に係る計器用変成器の実施の形態の構成を示す外形図である。
【図７】  本発明に係る計器用変成器の実施の形態の構成を示す外形図である。
【図８】  閉鎖配電盤内における本発明に係る計器用変成器の配置を示す、閉鎖配電盤の縦断側面図である。
【図９】  閉鎖配電盤内における本発明に係る計器用変成器の配置を示す、閉鎖配電盤の縦断裏面図である。
【図１０】  本発明に係る計器用変成器の実施の形態の構成を示す外形図である。
【図１１】  本発明に係る計器用変成器の実施の形態の構成を示す外形図である。
【図１２】  本発明に係る計器用変成器の実施の形態の構成を示す外形図である。
【図１３】  従来の一次導体埋め込み形の計器用変流器の構成例を示す外形図である。
【図１４】  従来の一次導体貫通形の計器用変流器の構成例を示す外形図である。
【図１５】  従来の一次導体貫通形の零相変流器の構成例を示す外形図である。
【図１６】  閉鎖配電盤内における従来の計器用変流器及び零相変流器の配置を示す、閉鎖配電盤の縦断側面図である。
【図１７】  閉鎖配電盤内における従来の計器用変流器及び零相変流器の配置を示す、閉鎖配電盤の縦断裏面図である。
【符号の説明】
３，６  計器用変流器、３ａ，４ａ，６ａ，７ａ  鉄心（コア）、３ｂ，４ｂ，６ｂ，７ｂ  二次巻線、４，７  零相変流器、５，８，８ａ  計器用変成器、１０  導体（ケーブル）、１２，１４，１６  導体（一次導体）、１２ａ，１３ａ，１４ａ，１５ａ，１６ａ  エポキシ樹脂、１３，１５  貫通孔。
【図１】
0003942308.tif 000002
【図２】
0003942308.tif 000003
【図３】
0003942308.tif 000004
【図４】
0003942308.tif 000005
【図５】
0003942308.tif 000006
【図６】
0003942308.tif 000007
【図７】
0003942308.tif 000008
【図８】
0003942308.tif 000009
【図９】
0003942308.tif 000010
【図１０】
0003942308.tif 000011
【図１１】
0003942308.tif 000012
【図１２】
0003942308.tif 000013
【図１３】
0003942308.tif 000014
【図１４】
0003942308.tif 000015
【図１５】
0003942308.tif 000016
【図１６】
0003942308.tif 000017
【図１７】
0003942308.tif 000018